【手続補正書】
【提出日】平成19年5月11日(2007.5.11)
【手続補正１】
【補正対象書類名】明細書
【補正対象項目名】特許請求の範囲
【補正方法】変更
【補正の内容】
【特許請求の範囲】
【請求項１】  ライターであって、
出口付きのノズルを備えたハウジングを有し、前記ハウジングは、燃料導管と連通状態にあって前記ノズル出口への燃料の選択的な放出を行うようになった燃料供給源を更に備え、
前記燃料導管を通る燃料の流れを制限するために前記ハウジングに設けられたストップ部材に押し付けられている解除部材を有し、前記解除部材は、前記燃料導管に対する前記制限を除いて燃料を選択的に放出するようユーザによって作動可能であり、
前記ユーザによって作動可能なトリガ部材を有し、前記トリガ部材は、前記点火装置を作動させ、それにより火花を発生させて放出された燃料を着火させるために前記ハウジングから延びて点火装置に作動的に連結されており、前記ユーザは、前記燃料を放出し、それと同時に火花を生じさせ、
前記燃料導管を支持するよう前記解除部材と前記ストップ部材との間に設けられたスリーブを有する、ライター。
【請求項２】  前記燃料導管又は前記スリーブの壁を支持するよう構成されたステントを更に有する、請求項１記載のライター。
【請求項３】  前記解除部材は、これから垂下したキャッチを有し、前記キャッチは、前記燃料導管を通る前記燃料の流れを制限するよう前記ストップ部材に押し付けられている、請求項１記載のライター。
【請求項４】  前記キャッチは、Ｕ字形である、請求項３記載のライター。
【請求項５】  前記キャッチは、Ｌ字形である、請求項３記載のライター。
【請求項６】  前記ステントは、前記スリーブの外部に位置決めされている、請求項２記載のライター。
【請求項７】  前記ステントは、前記スリーブの内部に位置決めされている、請求項２記載のライター。
【請求項８】  ライターであって、
出口付きのノズルを備えたハウジングを有し、前記ハウジングは、燃料導管と連通状態にあって前記ノズル出口への燃料の選択的な放出を行うようになった燃料供給源を更に備え、
ユーザによって作動可能であるように前記ハウジングの外部に露出された解除部材を有し、前記解除部材は、燃料を放出するために前記弁を動かすよう前記弁と作動的に関連しており、
前記解除部材から間隔を置いて設けられると共にユーザによって作動可能なトリガを有し、前記トリガは、前記ハウジングから延びて点火装置に作動的に連結されていて、前記点火装置を作動させ、それにより火花を発生させて前記放出された燃料を着火させるようになっており、
前記解除部材は、第１の端部が前記ハウジングによって摺動自在に支持されているが、第２の端部は支持されておらず、ユーザは、前記第２の端部に作用を及ぼすことができるようになっている、ライター。
【請求項９】  前記解除部材の前記第２の端部は、弾性的に付勢されている、請求項８記載のライター。
【請求項１０】  弁アクチュエータを更に有し、前記弁アクチュエータは、前記解除部材が前記弁を動かすよう前記弁アクチュエータの端部に作用するよう構成されている、請求項８記載のライター。
【請求項１１】  前記ユーザは、燃料を放出し、それと実質的に同時に火花を生じさせる、請求項８記載のライター。
【請求項１２】  前記ユーザは、前記解除部材を摺動させることができる、請求項８記載のライター。
【請求項１３】  前記ユーザは、前記解除部材を撓ませるよう前記第２の端部に作用することができる、請求項８記載のライター。
【請求項１４】  前記ユーザは、まず最初に前記解除部材を撓ませ、次にこれを摺動させる、請求項１３記載のライター。
【請求項１５】  前記ユーザは、前記解除部材を第１及び第２の方向に動かす、請求項８記載のライター。
【請求項１６】  前記第２の方向への前記解除部材の前記運動は、前記第１の方向における前記解除部材の前記運動に垂直である、請求項１５記載のライター。
【請求項１７】  前記トリガは、前記解除部材を前記第２の方向に動かす、請求項１５記載のライター。
【請求項１８】  前記解除部材は、前記ユーザからの解除時に戻る、請求項８記載のライター。
【請求項１９】  前記解除部材は、前記ユーザによる前記ライターの使用の終了時に燃料の放出を自動的に停止させるようになっている、請求項８記載のライター。
【請求項２０】  ライターであって、
出口付きのノズルを備えたハウジングを有し、前記ハウジングは、燃料導管と連通状態にあって前記ノズル出口への燃料の選択的な放出を行うようになった燃料供給源を更に備え、
燃料を放出させるよう前記弁に係合する弁アクチュエータを有し、
前記弁アクチュエータの一端部に作用して前記弁に係合させ、それにより燃料を放出させるためにユーザによって作動可能であるよう前記ハウジングの外部に露出された解除部材を有し、
前記解除部材から間隔を置いて設けられると共にユーザによって作動可能である摺動可能なトリガを有し、前記トリガは、前記ハウジングから延びて点火装置に作動的に連結されていて、前記点火装置を作動させ、それにより火花を発生させて前記放出された燃料を着火させるようになっており、
前記解除部材は、燃料を放出するために前記弁アクチュエータの前記一端部にカム作用をもたらすようになったカム面を有し、前記カム作用は、前記カム面を第１の方向に動かして前記第１の方向とは異なる第２の方向に前記弁アクチュエータの前記一端部を動かすことから成る、ライター。
【請求項２１】  前記解除部材を支持した弾性部材を更に有する、請求項１０記載のライター。
【請求項２２】  前記解除部材は、前記ハウジングに回動自在に連結されていて、前記解除部材の回動運動により、前記カム面が前記弁アクチュエータに作用して燃料を放出させるようになっている、請求項１１記載のライター。
【請求項２３】  前記解除部材は、これに取り付けられた妨害部分を有し、前記妨害部分は、前記解除部材を作動させない限り、前記点火装置の作動を妨げるよう構成されている、請求項８又は２０記載のライター。
【請求項２４】  前記トリガは、ピボット部材に作用し、前記ピボット部材は、連結ロッドを押して前記点火装置を作動させる、請求項２３記載のライター。
【請求項２５】  前記解除部材は、前記解除部材を押し下げると前記ピボット部材に係合するようになったキャッチを更に有し、また、前記トリガを作動させると燃料が放出されるようになっている、請求項２４記載のライター。
【請求項２６】  前記解除部材の前記妨害部分は、前記解除部材を作動させない限り、前記連結ロッドの一部に当たって前記点火装置の作動を妨げるようになっている、請求項２４記載のライター。
【請求項２７】  前記解除部材の前記妨害部分は、前記解除部材を作動させない限り、前記ピボット部材の一部に当たって前記点火装置の作動を妨げるようになっている、請求項２４記載のライター。
【請求項２８】  前記解除部材の前記妨害部分は、前記解除部材を作動させない限り、前記トリガの一部に当たって前記点火装置の作動を妨げるようになっている、請求項２３記載のライター。
【請求項２９】  前記解除部材は、これに取り付けられた妨害部分を有し、前記妨害部分は、前記解除部材を半ば作動させたときに前記点火装置の作動を妨げるよう構成され、前記解除部材を完全に作動させたとき及び前記解除部材を作動させないときには前記点火装置の作動を妨げないように構成されている、請求項８又は２０記載のライター。
【請求項３０】  前記トリガは、ピボット部材に作用し、前記ピボット部材は、連結ロッドを押して前記点火装置を作動させる、請求項２９記載のライター。
【請求項３１】  前記解除部材の前記妨害部分は、前記解除部材を半ば作動させた場合でも、前記連結ロッドの一部に当たって前記点火装置の作動を妨げるようになっている、請求項３０記載のライター。
【請求項３２】  前記解除部材の前記妨害部分は、前記解除部材を半ば作動させた場合でも、前記ピボット部材の一部に当たって前記点火装置の作動を妨げるようになっている、請求項３０記載のライター。
【請求項３３】  前記解除部材の前記妨害部分は、前記解除部材を半ば作動させた場合でも、前記トリガの一部に当たって前記点火装置の作動を妨げるようになっている、請求項２９記載のライター。
【請求項３４】  前記トリガの一部は、常態では、前記ハウジングに連結されたストップ部材に当たり、前記トリガは、前記一部を動かしてこれが前記ストップ部材に当たらないようにする第１の方向に動かされ、次に、前記点火装置を作動させる第２の方向に動かされる、請求項８又は２０記載のライター。
【請求項３５】  前記解除部材は、前記弁アクチュエータとは異なる方向に動かされる、請求項２０記載のライター。
【請求項３６】  前記解除部材は、前記弁とは異なる方向に動かされる、請求項２０記載のライター。
【請求項３７】  前記解除部材は、前記ライターの内部中へ動くようになっている、請求項２０記載のライター。
【請求項３８】  前記ユーザは、燃料を放出し、それと実質的に同時に火花を生じさせる、請求項２０記載のライター。
【請求項３９】  ライターであって、
出口付きのノズルを備えたハウジングを有し、前記ハウジングは、燃料導管と連通状態にあって前記ノズル出口への燃料の選択的な放出を行うようになった燃料供給源を更に備え、
燃料を放出させるためにユーザによって作動可能であるよう前記ハウジングの外部に露出された解除部材を有し、
前記解除部材から間隔を置いて設けられると共にユーザによって作動可能なトリガを有し、前記トリガは、前記ハウジングから延びて点火装置に作動的に連結されていて、前記点火装置を作動させ、それにより火花を発生させて前記放出された燃料を着火させるようになっており、前記ユーザは、燃料を放出し、それと実質的に同時に火花を生じさせ、
前記トリガの一部は、常態では、前記ハウジングに連結されたストップ部材に当たり、前記トリガは、前記一部を動かしてこれが前記ストップ部材に当たらないようにする第１の方向に動かされ、次に、前記点火装置を作動させる第２の方向に動かされる、ライター。
【請求項４０】  前記ハウジングは、前記トリガに設けられたチャネル内に受け入れられるような寸法形状のピンを更に有している、請求項３９記載のライター。
【請求項４１】  前記チャネルは、実質的に長円形である、請求項４０記載のライター。
【請求項４２】  前記チャネルは、弧状である、請求項４０記載のライター。
【請求項４３】  ライターであって、
出口付きのノズルを備えたハウジングを有し、前記ハウジングは、燃料導管と連通状態にあって前記ノズル出口への燃料の選択的な放出を行うようになった燃料供給源を更に備え、
燃料を放出させるためにユーザによって作動可能であるよう前記ハウジングの外部に露出された解除部材を有し、
前記解除部材から間隔を置いて設けられると共にユーザによって作動可能である摺動可能なトリガを有し、前記トリガは、前記ハウジングから延びて点火装置に作動的に連結されていて、前記点火装置を作動させ、それにより火花を発生させて前記放出された燃料を着火させるようになっており、前記ユーザは、燃料を放出し、それと実質的に同時に火花を生じさせ、
前記解除部材は、燃料を放出するために前記弁アクチュエータの前記一端部にカム作用をもたらすようになったカム面を有し、前記カム作用は、前記カム面を第１の方向に動かして前記第１の方向とは異なる第２の方向に前記弁アクチュエータの前記一端部を動かすことから成る、ライター。
【請求項４４】  前記解除部材を支持した弾性部材を更に有する、請求項４３記載のライター。
【請求項４５】  前記解除部材は、前記ハウジングに回動自在に連結されていて、前記解除部材の回動運動により、前記カム面が前記弁アクチュエータに作用して燃料を放出させるようになっている、請求項４４記載のライター。
【請求項４６】  前記解除部材は、これに取り付けられた妨害部分を有し、前記妨害部分は、前記解除部材を作動させない限り、前記点火装置の作動を妨げるよう構成されている、請求項８又は４３記載のライター。
【請求項４７】  前記トリガは、ピボット部材に作用し、前記ピボット部材は、連結ロッドを押して前記点火装置を作動させる、請求項４６記載のライター。
【請求項４８】  前記解除部材は、前記解除部材を押し下げると前記ピボット部材に係合するようになったキャッチを更に有し、また、前記トリガを作動させると燃料が放出されるようになっている、請求項３８記載のライター。
【請求項４９】  前記解除部材の前記妨害部分は、前記解除部材を作動させない限り、前記連結ロッドの一部に当たって前記点火装置の作動を妨げるようになっている、請求項３８記載のライター。
【請求項５０】  実用ライターであって、燃料供給源を備えた本体、前記燃料をノズルに導く導管、及び前記本体から延びるロッド状端部を有するハウジングを有し、前記ロッド状端部は、前記本体の少なくともほぼ全長のうちの一部を占めると共にその端部に前記ノズルを有し、
燃料を前記ノズルに選択的に放出する弁機構を有し、
前記燃料に点火する火花を発生させる圧電ユニットを有し、
トリガを有し、前記トリガの一部は、前記ハウジングから延びていて、ユーザにより接近可能であり、前記トリガの別の部分は、前記放出された燃料に点火する前記火花を生じさせるよう前記圧電ユニットに作動的に連結されており、
解除部材を有し、前記解除部材は、燃料を放出するために前記解除部材がユーザにより作動可能であるように前記ハウジングの外部に露出されており、前記解除部材は、常態では、前記解除部材の一部が前記トリガの運動を妨害する第１の位置に配置されており、
第２の方向への前記解除部材の運動により、前記燃料が放出されると共に前記トリガが前記圧電ユニットを作動させることができ、前記解除部材は、前記解除部材の解除時に前記第１の位置に自動的に戻る、実用ライター。
【請求項５１】  弁アクチュエータを更に有し、前記弁アクチュエータは、前記解除部材が前記弁を動かすよう前記弁アクチュエータの端部に作用するよう構成されている、請求項５０記載のライター。
【請求項５２】  前記解除部材は、前記弁アクチュエータの前記一端部に作用するようになったカム面を有する、請求項５１記載のライター。
【請求項５３】  前記解除部材は、前記ハウジングに回動自在に連結されていて、前記解除部材の回動運動により、前記カム面が前記弁アクチュエータに作用して燃料を放出させるようになっている、請求項５０記載のライター。
【請求項５４】  前記解除部材は、前記ライターの内部中へ動くようになっている、請求項５０記載のライター。
【請求項５５】  前記解除部材は、前記ユーザによる前記ライターの使用の終了時に燃料の放出を自動的に停止させるようになっている、請求項５０記載のライター。
【請求項５６】  前記解除部材を支持した弾性部材を更に有する、請求項５０記載のライター。
【請求項５７】  前記解除部材は、前記ユーザからの解除時に戻る、請求項５０記載のライター。
【請求項５８】  前記トリガは、ピボット部材に作用し、前記ピボット部材は、連結ロッドを押して前記点火装置を作動させる、請求項５０記載のライター。
【請求項５９】  前記解除部材は、前記解除部材を押し下げると前記ピボット部材に係合するようになったキャッチを更に有し、また、前記トリガを作動させると燃料が放出されるようになっている、請求項５８記載のライター。
【請求項６０】  前記解除部材の前記妨害部分は、前記解除部材を作動させない限り、前記連結ロッドの一部に当たって前記点火装置の作動を妨げるようになっている、請求項５９記載のライター。
【請求項６１】  前記解除部材の前記妨害部分は、前記解除部材を作動させない限り、前記ピボット部材の一部に当たって前記点火装置の作動を妨げるようになっている、請求項５９記載のライター。
【請求項６２】  前記ハウジングは、前記トリガに設けられたチャネル内に受け入れられるような寸法形状のピンを更に有している、請求項５０記載のライター。
【請求項６３】  前記ユーザは、燃料を放出し、それと実質的に同時に火花を生じさせる、請求項５０記載のライター。
【請求項６４】  前記ユーザは、前記解除部材を摺動させることができる、請求項５０記載のライター。
【請求項６５】  前記ユーザは、まず最初に前記解除部材を撓ませ、次にこれを摺動させる、請求項５０記載のライター。
【請求項６６】  ライターであって、
出口付きのノズルを備えたハウジングを有し、前記ハウジングは、燃料導管と連通状態にあって前記ノズル出口への燃料の選択的な放出を行うようになった燃料供給源を更に備え、
燃料を放出させるよう前記弁に係合する弁アクチュエータを有し、
前記弁アクチュエータの一端部に作用して前記弁に係合させ、それにより燃料を放出させるためにユーザによって作動可能であるよう前記ハウジングの外部に露出された解除部材を有し、
前記解除部材から間隔を置いて設けられると共にユーザによって作動可能であるトリガを有し、前記トリガは、前記ハウジングから延びて点火装置に作動的に連結されていて、前記点火装置を作動させ、それにより火花を発生させて前記放出された燃料を着火させるようになっており、
前記解除部材は、燃料を放出するために前記弁アクチュエータの前記一端部にカム作用をもたらすようになったカム面を有し、前記カム作用は、前記カム面を第１の方向に動かして前記第１の方向とは異なる第２の方向に前記弁アクチュエータの前記一端部を動かすことから成る、ライター。
【請求項６７】  前記解除部材は、前記弁アクチュエータとは異なる方向に動かされる、請求項６６記載のライター。
【請求項６８】  前記解除部材は、前記弁とは異なる方向に動かされる、請求項６６記載のライター。
【請求項６９】  前記解除部材は、前記ライターの内部中へ動くようになっている、請求項６６記載のライター。
【請求項７０】  前記ユーザは、燃料を放出し、それと実質的に同時に火花を生じさせる、請求項６６記載のライター。
【請求項７１】  前記解除部材を支持した弾性部材を更に有する、請求項６６記載のライター。
【請求項７２】  前記解除部材は、前記ハウジングに回動自在に連結されていて、前記解除部材の回動運動により、前記カム面が前記弁アクチュエータに作用して燃料を放出させるようになっている、請求項７１記載のライター。
【請求項７３】  前記解除部材は、これに取り付けられた妨害部分を有し、前記妨害部分は、前記解除部材を作動させない限り、前記点火装置の作動を妨げるよう構成されている、請求項６６記載のライター。
【請求項７４】  前記トリガは、ピボット部材に作用し、前記ピボット部材は、連結ロッドを押して前記点火装置を作動させる、請求項７３記載のライター。
【請求項７５】  前記解除部材は、前記解除部材を押し下げると前記ピボット部材に係合するようになったキャッチを更に有し、また、前記トリガを作動させると燃料が放出されるようになっている、請求項７４記載のライター。
【請求項７６】  前記解除部材の前記妨害部分は、前記解除部材を作動させない限り、前記連結ロッドの一部に当たって前記点火装置の作動を妨げるようになっている、請求項７４記載のライター。
【請求項７７】  前記解除部材の前記妨害部分は、前記解除部材を作動させない限り、前記ピボット部材の一部に当たって前記点火装置の作動を妨げるようになっている、請求項７４記載のライター。
【請求項７８】  前記解除部材の前記妨害部分は、前記解除部材を作動させない限り、前記トリガの一部に当たって前記点火装置の作動を妨げるようになっている、請求項７３記載のライター。
【請求項７９】  前記解除部材は、これに取り付けられた妨害部分を有し、前記妨害部分は、前記解除部材を半ば作動させたときに前記点火装置の作動を妨げるよう構成され、前記解除部材を完全に作動させたとき及び前記解除部材を作動させないときには前記点火装置の作動を妨げないように構成されている、請求項７３記載のライター。
【請求項８０】  前記トリガは、ピボット部材に作用し、前記ピボット部材は、連結ロッドを押して前記点火装置を作動させる、請求項２９記載のライター。
【請求項８１】  前記解除部材の前記妨害部分は、前記解除部材を半ば作動させた場合でも、前記連結ロッドの一部に当たって前記点火装置の作動を妨げるようになっている、請求項８０記載のライター。
【請求項８２】  前記解除部材の前記妨害部分は、前記解除部材を半ば作動させた場合でも、前記ピボット部材の一部に当たって前記点火装置の作動を妨げるようになっている、請求項８０記載のライター。
【請求項８３】  前記解除部材の前記妨害部分は、前記解除部材を半ば作動させた場合でも、前記トリガの一部に当たって前記点火装置の作動を妨げるようになっている、請求項７９記載のライター。
【請求項８４】  前記トリガの一部は、常態では、前記ハウジングに連結されたストップ部材に当たり、前記トリガは、前記一部を動かしてこれが前記ストップ部材に当たらないようにする第１の方向に動かされ、次に、前記点火装置を作動させる第２の方向に動かされる、請求項６６記載のライター。
【請求項８５】  ライターであって、
出口付きのノズルを備えたハウジングを有し、前記ハウジングは、燃料導管と連通状態にあって前記ノズル出口への燃料の選択的な放出を行うようになった燃料供給源を更に備え、
燃料を放出させるためにユーザによって作動可能であるよう前記ハウジングの外部に露出された解除部材を有し、
前記解除部材から間隔を置いて設けられると共にユーザによって作動可能なトリガを有し、前記トリガは、前記ハウジングから延びて点火装置に作動的に連結されていて、前記点火装置を作動させ、それにより火花を発生させて前記放出された燃料を着火させるようになっており、前記ユーザは、燃料を放出し、それと実質的に同時に火花を生じさせ、
前記解除部材は、燃料を放出するために前記弁アクチュエータの前記一端部にカム作用をもたらすようになったカム面を有し、前記カム作用は、前記カム面を第１の方向に動かして前記第１の方向とは異なる第２の方向に前記弁アクチュエータの前記一端部を動かすことから成る、ライター。
【請求項８６】  前記解除部材を支持した弾性部材を更に有する、請求項８５記載のライター。
【請求項８７】  前記解除部材は、前記ハウジングに回動自在に連結されていて、前記解除部材の回動運動により、前記カム面が前記弁アクチュエータに作用して燃料を放出させるようになっている、請求項８６記載のライター。
【請求項８８】  前記解除部材は、これに取り付けられた妨害部分を有し、前記妨害部分は、前記解除部材を作動させない限り、前記点火装置の作動を妨げるよう構成されている、請求項８又は４３記載のライター。
【請求項８９】  前記トリガは、ピボット部材に作用し、前記ピボット部材は、連結ロッドを押して前記点火装置を作動させる、請求項８８記載のライター。
【請求項９０】  前記解除部材は、前記解除部材を押し下げると前記ピボット部材に係合するようになったキャッチを更に有し、また、前記トリガを作動させると燃料が放出されるようになっている、請求項８９記載のライター。
【請求項９１】  前記解除部材の前記妨害部分は、前記解除部材を作動させない限り、前記連結ロッドの一部に当たって前記点火装置の作動を妨げるようになっている、請求項８９記載のライター。
【請求項９２】  実用ライターであって、燃料供給源を備えた本体、前記燃料をノズルに導く導管、及び前記本体から延びるロッド状端部を有するハウジングを有し、前記ロッド状端部は、前記本体の少なくともほぼ全長のうちの一部を占めると共にその端部に前記ノズルを有し、
燃料を前記ノズルに選択的に放出する弁機構を有し、
前記燃料に点火する火花を発生させる圧電ユニットを有し、
トリガを有し、前記トリガの一部は、前記ハウジングから延びていて、ユーザにより接近可能であり、前記トリガの別の部分は、前記放出された燃料に点火する前記火花を生じさせるよう前記圧電ユニットに作動的に連結されており、
解除部材を有し、前記解除部材は、燃料を放出するために前記解除部材がユーザにより作動可能であるように前記ハウジングの外部に露出されており、
前記解除部材と関連した妨害部材を有し、前記妨害部材は、前記妨害部材が前記トリガの運動を妨害する第１の位置と、前記トリガが前記圧電ユニットを作動させるのに十分動くことができるようにする第２の位置との間で動くことができ、
前記妨害部材は、常態では、前記第１の位置に配置され、燃料を放出させるために前記解除部材を作動させることにより、前記妨害部材は、前記第２の位置に動き、前記妨害部材は、前記解除部材の解除時に前記第１の位置に自動的に戻る、実用ライター。
【請求項９３】  前記妨害部材は、前記解除部材とは別体である、請求項９２記載の実用ライター。
【請求項９４】  前記妨害部材は、前記解除部材の一部である、請求項９２記載の実用ライター。
【請求項９５】  前記妨害部材は、前記トリガに対して回動できる、請求項９２記載の実用ライター。
【請求項９６】  前記妨害部材は、片持ち部材である、請求項９５記載の実用ライター。
【請求項９７】  前記妨害部材は、カム面を有する、請求項９２記載の実用ライター。